(57)【要約】対象物に対してキー作成部を提供し、第１キー及び第２キーと、当該キーのためのロックとを作成し、対象物内に第１キーを格納し、第２キーを対象物とは別のデータベースに格納し、第１キー及び第２キーを読み出し、第１キー及び第２キーによってロックを開き、第３キー及び第４キーと、対象物のための新しいロックとを作成し、第１キー及び第２キーを無効にし、対象物内の第１キーを第３キーに置き換え、データベース内の第２キーを第４キーに置き換えることによって、不正コピーから対象物を保護する。
2019536319.tif 000002
【特許請求の範囲】
【請求項１】
不正コピーから対象物を保護する方法であって、
前記対象物に対してキー作成部を提供し、
第１キー及び第２キーと、前記第１キー及び前記第２キーのためのロックとを作成し、
前記対象物内に前記第１キーを格納し、
前記第２キー及びタイムキーを前記対象物とは別のデータベースに格納し、
前記第１キー及び前記第２キーを読み出し、
前記第１キー及び前記第２キーを結合し、
前記格納されたタイムキーを使用して、前記結合された第１キー及び第２キーの復号化の一致によって前記ロックを開き、
新しいタイムキーと、第３キー及び第４キーと、新しいロックとを作成し、
前記新しいロックによって前記第１キー及び前記第２キーを無効にし、
前記対象物内の前記第１キーを前記第３キーに置き換え、
前記データベース内の前記タイムキー及び前記第２キーの両方を前記新しいタイムキー及び前記第４キーに置き換える、方法。
【請求項２】
前記対象物は、パスポート、銀行カード、電子トラベルカード、保護された電子文書、スマートテレビボックス、ケーブルテレビボックス、自動車、自動車部品、ソフトウェアライセンス、及びデジタルメディアで構成されるグループから選択される、請求項１の方法。
【請求項３】
前記銀行カードは、クレジットカード、ＡＴＭカード、デビットカード、デポジットカード、及び電子決済カードで構成されるグループから選択される、請求項２の方法。
【請求項４】
前記電子トラベルカードは、オイスターカード及びオクトプラスカードで構成されるグループから選択される、請求項２の方法。
【請求項５】
前記ソフトウェアライセンスは、プログラムライセンス、オートメーションソフトウェアライセンス、オペレーティングシステムライセンス、及び携帯電話アプリで構成されるグループから選択される、請求項２の方法。
【請求項６】
前記デジタルメディアは、ゲーム、音楽、映画、ビデオクリップ、テレビ、及びオンラインテレビシリーズで構成されるグループから選択される、請求項２の方法。
【請求項７】
前記第１キー及び前記第２キーは、時間に関連付けされたパスワード又はタイムキーでアカウント情報を暗号化し、当該暗号化されたアカウント情報を前記第１キー及び前記第２キーに分離することによって作成される、請求項１の方法。
【請求項８】
前記アカウント情報は前記対象物のユーザのアカウント情報である、請求項７の方法。
【請求項９】
不正コピーから対象物を保護するシステムであって、
メモリと、
当該メモリと接続されるプロセッサであって、
前記対象物に対してキー作成部を提供し、
第１キー及び第２キーと、前記第１キー及び前記第２キーのためのロックとを作成し、
前記対象物内に前記第１キーを格納し、
前記第２キー及びタイムキーを前記対象物とは別のデータベースに格納し、
前記第１キー及び前記第２キーを読み出し、
前記第１キー及び前記第２キーを結合し、
前記格納されたタイムキーを使用して、前記結合された第１キー及び第２キーの復号化の一致によって前記ロックを開き、
新しいタイムキーと、第３キー及び第４キーと、新しいロックとを作成し、
前記新しいロックによって前記第１キー及び前記第２キーを無効にし、
前記対象物内の前記第１キーを前記第３キーに置き換え、
前記データベース内の前記タイムキー及び前記第２キーの両方を前記新しいタイムキー及び前記第４キーに置き換える、プロセッサと
を備えるシステム。
【請求項１０】
前記対象物は、パスポート、銀行カード、電子トラベルカード、保護された電子文書、スマートテレビボックス、ケーブルテレビボックス、自動車、自動車部品、ソフトウェアライセンス、及びデジタルメディアで構成されるグループから選択される、請求項９のシステム。
【請求項１１】
前記銀行カードは、クレジットカード、ＡＴＭカード、デビットカード、デポジットカード、及び電子決済カードで構成されるグループから選択される、請求項１０のシステム。
【請求項１２】
電子トラベルカードは、オイスターカード及びオクトプラスカードで構成されるグループから選択される、請求項１０のシステム。
【請求項１３】
前記ソフトウェアライセンスは、プログラムライセンス、オートメーションソフトウェアライセンス、オペレーティングシステムライセンス、及び携帯電話アプリで構成されるグループから選択される、請求項１０のシステム。
【請求項１４】
前記デジタルメディアは、ゲーム、音楽、映画、ビデオクリップ、テレビ、及びオンラインテレビシリーズで構成されるグループから選択される、請求項１０のシステム。
【請求項１５】
前記第１キー及び前記第２キーは、時間に関連付けされたパスワード又はタイムキーでアカウント情報を暗号化し、当該暗号化されたアカウント情報を前記第１キー及び前記第２キーに分離することによって作成される、請求項９の方法。
【請求項１６】
前記アカウント情報は前記対象物のユーザのアカウント情報である、請求項１５の方法。
【請求項１７】
不正コピーから対象物を保護する装置であって、
暗号化エンジンと、
前記暗号化エンジンに接続され、対象物キー及び発行元キーをそれぞれ読み取る対象物キー読取部及び発行元キー読取部と、
前記暗号化エンジンに接続され、前記対象物キー及び前記発行元キーを暗号化又は復号化して、前記対象物キー及び前記発行元キーを検証するキー検証部と、
前記暗号化エンジンに接続され、タイムキーを作成し、前記対象物キー及び前記発行元キーを暗号化して又は復号化して暗号化コードを作成し、当該暗号化コードを前記対象物キーと前記発行元キーとに分割するキー作成部と、
前記キー作成部に接続され、前記対象物キー及び前記発行元キーを新しい対象物キー及び新しい発行元キーでそれぞれ置換することによって、前記対象物キー及び前記発行元キーを更新し、前記対象物キー及び前記発行元キーを破棄するキー更新部と
を備える装置。
【発明の詳細な説明】
【技術分野】
【０００１】
本願は、アンチクローニング保護に関する。
【背景技術】
【０００２】
セキュリティカードは、暗号化されている場合でもコピーされることがある。このようなセキュリティカードには、パスポート、身分証明カード、キャッシュマシンカード又はクレジットカードがある。ＴＶセットトップボックスなどのハードウェアデバイスや、ゲーム、オートメーションソフトウェア、オペレーティングシステム又はソフトウェアアプリケーションを含むソフトウェアも、暗号化されている場合でも、コピーできる。
【０００３】
また、例えば、セキュリティカードの不正コピーの存在、又は不正コピーが使用されている活動を自動的に検出及び／又は無効化することは難しい場合がある。
【発明の概要】
【０００４】
１つの態様において、対象物に対してキー作成部を提供し、ロックのための第１キー及び第２キーを作成し、又は１つのキーを作成しそのキーを第１キー及び第２キーに分離し、前記対象物内に前記第１キーを格納し、前記第２キーを前記対象物とは別のデータベースに格納し、前記第１キー及び前記第２キーを読み出し、前記第１キー及び前記第２キーを結合し、前記第１キー及び前記第２キーによって前記ロックを開き、キーを作成し、それを第３キー及び第４キーに分割し、前記第３キー及び前記第４キーを使って再度アカウント情報を暗号化し、新しい暗号化結果を取得し、当該新しい暗号化結果は、第３キー及び第４キーと共に新しいロックを形成し、前記新しいロックが前記第１キー及び前記第２キーを効果的に無効にし、前記対象物内の前記第１キーを前記第３キーに置き換え、前記データベース内の前記第２キーを前記第４キーに置き換えることによって、対象物は不正コピーから保護される。
【０００５】
いくつかの態様において、前記対象物は、パスポート、銀行カード、電子トラベルカード、保護された電子文書、スマートテレビボックス、ケーブルテレビボックス、自動車、自動車部品、ソフトウェアライセンス、又はデジタルメディアである。
【０００６】
いくつかの態様において、前記銀行カードは、クレジットカード、ＡＴＭカード、デビットカード、デポジットカード、又は電子決済カードである。
【０００７】
いくつかの態様において、前記電子トラベルカードは、オイスターカード又はオクトプラスカードである。
【０００８】
いくつかの態様において、前記ソフトウェアライセンスは、プログラムライセンス、オートメーションソフトウェアライセンス、オペレーティングシステムライセンス、又は携帯電話アプリである。
【０００９】
いくつかの態様において、前記デジタルメディアは、ゲーム、音楽、映画、ビデオクリップ、テレビ、又はオンラインテレビシリーズである。
【００１０】
さらなる態様において、各暗号化が異なるならば、アカウント情報を暗号化し、当該暗号化されたアカウント情報を前記第１キー及び前記第２キーに分離することによって前記第１キー及び前記第２キーは作成される。
【００１１】
さらなる態様において、前記アカウント情報は前記対象物のユーザのアカウント情報である。
【００１２】
他の態様において、不正コピーから対象物を保護するシステムであって、当該システムは、メモリと、当該メモリと接続されるプロセッサであって、第１キー及び第２キー又は、第１キー及び第２キーに分離される１つのキーを提供し、前記第１キー及び前記第２キーを使ってアカウント情報を暗号化し新しいロックを作成し、対象物内に前記第１キーを格納し、前記第２キーを前記対象物とは別のデータベースに格納し、前記第１キー及び前記第２キーを読み出し、前記第１キー及び前記第２キーによって前記ロックを開き、第３キー及び第４キーと、新しいロックとを作成し、前記新しいロックが前記第１キー及び前記第２キーを無効にし、前記対象物内の前記第１キーを前記第３キーに置き換え、前記データベース内の前記第２キーを前記第４キーに置き換える、プロセッサとを備える。
【００１３】
さらに他の態様において、不正コピーから対象物を保護する装置であって、当該装置は、暗号化エンジンと、前記暗号化エンジンに接続され、対象物キー及び発行元キーをそれぞれ読み取る対象物キー読取部及び発行元キー読取部と、前記暗号化エンジンに接続され、前記対象物キー及び前記発行元キーを暗号化又は復号化して、前記対象物キー及び前記発行元キーを検証するキー検証部と、前記暗号化エンジンに接続され、タイムキーを作成し、前記対象物キー及び前記発行元キーを暗号化して又は復号化して新しく異なる暗号化コードを作成し、当該暗号化コードを前記対象物キーと前記発行元キーとに分割するキー作成部と、前記キー作成部に接続され、前記対象物キー及び前記発行元キーを新しい対象物キー及び新しい発行元キーでそれぞれ置換することによって、前記対象物キー及び前記発行元キーを更新し、前記対象物キー及び前記発行元キーを破棄するキー更新部とを備える。
【００１４】
さらに他の態様において、対象物に対してキー作成部を提供し、第１キー及び第２キーと、前記第１キー及び前記第２キーのためのロックとを作成し、前記対象物内に前記第１キーを格納し、前記第２キー及びタイムキーを前記対象物とは別のデータベースに格納し、前記第１キー及び前記第２キーを読み出し、前記第１キー及び前記第２キーを結合し、前記格納されたタイムキーを使用して、前記結合された第１キー及び第２キーの復号化の一致によって前記ロックを開き、新しいタイムキーと、第３キー及び第４キーと、新しいロックとを作成し、前記新しいロックによって前記第１キー及び前記第２キーを無効にし、前記対象物内の前記第１キーを前記第３キーに置き換え、前記データベース内の前記タイムキー及び前記第２キーの両方を前記新しいタイムキー及び前記第４キーに置き換えることによって、不正コピーから対象物は保護される。
【００１５】
さらに他の態様において、不正コピーから対象物を保護するシステムであって、前記システムは、メモリと、当該メモリと接続されるプロセッサであって、前記対象物に対してキー作成部を提供し、第１キー及び第２キーと、前記第１キー及び前記第２キーのためのロックとを作成し、前記対象物内に前記第１キーを格納し、前記第２キー及びタイムキーを前記対象物とは別のデータベースに格納し、前記第１キー及び前記第２キーを読み出し、前記第１キー及び前記第２キーを結合し、前記格納されたタイムキーを使用して、前記結合された第１キー及び第２キーの復号化の一致によって前記ロックを開き、新しいタイムキーと、第３キー及び第４キーと、新しいロックとを作成し、前記新しいロックによって前記第１キー及び前記第２キーを無効にし、前記対象物内の前記第１キーを前記第３キーに置き換え、前記データベース内の前記タイムキー及び前記第２キーの両方を前記新しいタイムキー及び前記第４キーに置き換えるプロセッサとを備える。
【００１６】
さらに他の態様において、不正コピーから対象物を保護する装置であって、前記装置は、暗号化エンジンと、前記暗号化エンジンに接続され、対象物キー及び発行元キーをそれぞれ読み取る対象物キー読取部及び発行元キー読取部と、前記暗号化エンジンに接続され、前記対象物キー及び前記発行元キーを暗号化又は復号化して、前記対象物キー及び前記発行元キーを検証するキー検証部と、前記暗号化エンジンに接続され、タイムキーを作成し、前記対象物キー及び前記発行元キーを暗号化して又は復号化して暗号化コードを作成し、当該暗号化コードを前記対象物キーと前記発行元キーとに分割するキー作成部と、前記キー作成部に接続され、前記対象物キー及び前記発行元キーを新しい対象物キー及び新しい発行元キーでそれぞれ置換することによって、前記対象物キー及び前記発行元キーを更新し、前記対象物キー及び前記発行元キーを破棄するキー更新部とを備える。
【００１７】
本発明の上記及び他の特徴および利点、並びに本発明の様々な実施形態の構造及び動作について、添付の図面を参照して以下に詳細に説明する。
【図面の簡単な説明】
【００１８】
添付の図面は、本明細書中に組み込まれ、明細書の一部を形成するものであり、本発明の様々な実施形態を例示し、かつ、説明とともに、さらにその原理を説明する機能、かつ当業者が発明を作成して使用することを可能にする機能を果たしている。図面において、同様の参照番号は、同一又は機能的に類似した要素を示す。添付の図面と関連して考慮されるとき、本発明及びそれに付随する多くの利点が以下の詳細な説明を参照することによってより理解されるので、本発明のより完全な理解及びそれに付随する多くの利点は容易に得られるであろう。
【図１】図１は、一実施形態に係る不正コピーから対象物を保護するためのシステムの概略を示す。
【図２】図２は、一実施形態に係る不正コピーから対象物を保護するための方法のフローチャートを示す。
【図３】図３は、一実施形態に係る不正コピーから対象物を保護するためのシステムの概略を示す。
【図４】図４は、一実施形態で使用するためのハードウェアを示す。
【発明を実施するための形態】
【００１９】
一実施形態に係る不正コピーから対象物を保護するためのシステム１００の概略を図１に示す。
【００２０】
本発明は、銀行で使用される貸金庫システムに触発された。銀行で貸金庫を開ける場合、銀行は２つのキーを提供する。１つのキーは顧客によって保持され、「ガードキー」として知られる他のキーは銀行によって保持される。２つのキーが一緒に動作する場合にのみ、貸金庫の「ロック」を開くことができる。
【００２１】
問題：我々が貸金庫を訪問するたびに、銀行が２つの新しいキーを提供しロックを変更するならば、より安全でしょうか？
【００２２】
答：訪問のたびに、２つの新しいキーを提供し、顧客用のロックを変更することは、銀行の貸金庫にとって実用的でも有用でもありません。
【００２３】
しかしながら、このアイデアの電子版は、セキュリティと実用性（使いやすさ）との両方を提供する。
【００２４】
図１に示すような、「パスポート」、「ＩＤカード」及び「クレジットカード」などの保護された対象物１０を考慮してください。保護された対象物１０ごとに、発行元２０（銀行、パスポート事務所など）は、２つのキー３０、４０（パスワード）を作成する。一方は、対象物１０の内部（例えばその磁気ストリップ上）に格納され、他方は発行元のデータベース５０に格納される。
【００２５】
パスポート、ＩＤカード及びクレジットカードなどの保護された対象物１０ごとに、「ロック」６０は、関係する対象物１０のセキュリティに適したデータ暗号化を使って設計される。暗号化ロック６０は、（ＰＩＮ番号などの）対象物１０の任意の既存の保護に加えて、不可視外部層として機能する。
【００２６】
例えば、クレジットカードの場合、カード読み取り機にクレジットカードを挿入すると、２つのキー３０、４０が発行元の「暗号化」ロックに読み込まれる。２つのキー３０、４０が正しい場合、２つのキー３０、４０は「暗号化」ロックによって認識され、クレジットカードは本物とみなされ、ロックが開かれます。このことは、カードの所有者には見えず、速度が低下しないように又はカードの使用に影響を与えたりしないように、すぐに行われる。
【００２７】
ＰＩＮの読み取りやマネートランザクションなどの関連する他のすべての活動は、通常どおり実行できる。
【００２８】
最後の且つ最も重要なステップ：マネートランザクションが完了し、クレジットカードを返す前に、カード読み取り機（すなわち、発行元）は、２つの新しいキーと新しいロックとを作成する。一方のキーは関係する対象物に格納され、他方のキーは発行元のデータベースに格納される。
【００２９】
多数の「パスポート」、「ＩＤカード」及び「クレジットカード」が犯意でコピーされたとする。これらのコピー対象物の各々は、コピー又は複製された特定の真正対象物と同じキー３０、４０を有する。
【００３０】
真正カード又は真正対象物が使用されると、真正カード及び発行元のデータベースの両方のロック及びキーが変更される。これにより、コピー対象物内の古いキーを発行元のデータベース内の新しいキーと一致させる方法がないので、対象物のすべての不正なコピーは役に立たなくなる。コピー又は複製物は、新しい暗号化ロックを開けない。
【００３１】
この状況では、対象物のすべての不正コピーが自動的に無効になる。ユーザ及び発行元の両者は、コピーを無効にするために何もする必要はない。
【００３２】
不正コピーを検出したり、及び／又は不正コピーの使用を検出したりすることは、銀行など多くの組織にとってセキュリティ問題である。真正の対象物が使用される前に、多数の「パスポート」、「ＩＤカード」及び「クレジットカード」がコピーされ、使用されるとする。この場合、不正なコピー対象物は正常に使用される。
【００３３】
しかしながら、不正コピーの後に真正対象物が使用されると、すでに変更されているロックのために、真正対象物は暗号化ロックを通過できない。この場合、真正対象物がコピーされており、コピーの不正な使用があったことがわかる。真正対象物の所有者は、すぐに発行元に連絡し、その後、新しいキー及び新しいロックが再び真正対象物に再インストールされ、対象物のすべての不正コピーを無効にする。
【００３４】
本発明の検出力は、不正なパスポート及びＩＤカードの重複に特に有用であり、この種の身元詐欺を排除する。何枚ものパスポートやＩＤカードが重複したとしても、１つだけを使用することができる。他のすべてのコピーは自動的に無効になる。真正のものが使用されるか又は発行元から回復されると、すべての不正なコピーは公開され、発行元によって捕捉される可能性がある。
【００３５】
キャッシュカードやクレジットカードの不正コピーがあることを銀行に証明することは、以前はかなり困難であった。本発明では、キャッシュカード（又はクレジットカード）の不正コピーが使用されると、コピーカードのキーと発行元のデータベース内のキーとの両方が変更される。
【００３６】
しかしながら、以前のキーである、真正カード内のキーは、システムの暗号化ロックを開けない。これは、カードの不正コピーが流通しているという銀行に対する証明として使用することができる。発行元は、真正カードが以前のキーをまだ持っていて使用されていないことを確認できる。
【００３７】
テレビセットトップボックスと、ゲーム、オートメーションソフトウェアライセンス、オペレーティングシステム及びソフトウェアアプリケーションなどのソフトウェアとは、すべて同様の方針に沿って保護できる。
【００３８】
身元詐欺を減らし、安心を提供するために、キャッシュカードやクレジットカードなどの保護された対象物を、可能な限り定期的に使用する必要がある。多くの場合、残高を確認するだけでそのジョブが実行される。これは新しいキーの自動作成を招くからである。
【００３９】
保護された対象物を毎日確認すると、個人情報の盗難が大幅に減少する。ＵＳＢオンラインカードリーダは、人々が自分のＰＣで自宅で自分のカードを確認できるように開発することもできる。
【００４０】
以前は、電子契約書、法律文書などの電子（又は電子送信）文書の原本を確認することは困難であった。
【００４１】
さらに、本発明は、電子文書の内部にキーを入れて原本の電子文書を特定し、電子文書を保護された対象物としてみなすためにも使用することができる。異なるキーを持つすべての同じ文書は、原本のコピーと見なすことができる。
【００４２】
原本の電子文書の検証処理は、プログラムによって行うことができる。
【００４３】
プログラムは、文書からキーを読み取り、例えば第２キーのためのインターネット上の発行元のサイトに接続する。２つのキーが使用可能な場合は、ロックを開くことによって、電子文書を原本として検証することができる。
【００４４】
場合によっては、暗号化によって、原本の電子文書のみを正常に読み取ることができるように準備することもできる。
【００４５】
保護された対象物の複数のコピーを保護することは問題にはならない。我々が同じアカウントから３つのキャッシュマシンカード（例えば、カード１、カード２、カード３）を保護したいとする。我々がする必要があるのは、３つのキャッシュマシンカードに関連付けられた３組のキーを作成することである。
【００４６】
例えば、第１組のキーは、カード１を保護するために使用される。一方のキーはカード１内に格納され、他方のキーはカード１に関連するアカウントのデータベース内に格納される。
【００４７】
この発明は、例えば、マイクロソフトウインドウズ、アップルマックなどのオペレーティングシステム及びインターネットによって広く使用される。ソフトウェア、電子文書及びゲームを含む、ほとんどの電子デジタル対象物は、全世界で保護することができる。不正コピーのための全世界の規律は、ある程度実現することができる。
【００４８】
発明の基本的な構成要素
【００４９】
２つのキー（又は２つ部分に分けられた１つのキー）：
【００５０】
一方のキーは保護された対象物に格納され、他方は発行元のデータベースに格納される。
【００５１】
暗号化ロック：
【００５２】
ロック又は暗号化は、特定のアプリケーションに応じてユーザ定義することができる。これは、（復号化なしの）一方向の暗号化又は（暗号化と復号化の両方が使用可能な）双方向の暗号化、もしくはその両方の組み合わせにすることができる。
【００５３】
検証処理：
【００５４】
検証処理は、暗号化ロックを開いたと見なすことができ、暗号化が使用されるかに応じてユーザ定義することができる。例えば、２つのキーで同じ暗号化結果が得られた場合、ロックは開かれたと見なされる。場合によっては、同じ復号化結果が得られたときにロックが開かれたと見なされる。ときどき、これらを組み合わせて使用することもできる。
【００５５】
キー作成部：
【００５６】
キー作成部は、暗号化に関連付けられたキーが使用される又は選択されるたびにアカウント情報を暗号化することによって、２つの新しいキーを作成し、新しいロックを作成する機構（ハードウェア又はソフトウェア）である。
【００５７】
本発明を実施する方法は多数ある。他の非常に簡単な実施例については、銀行カードの状況を検討してください。
【００５８】
２つのキーとロックとは、以下の方法で作成できる。
【００５９】
キー作成部は、タイムキー又はパスワードを作成でき、次のユーザアカウント情報を銀行データベース内で暗号化するたびに、パスワードを変更し続けることができ、それからタイムキーを格納することができる。
【００６０】
ジョンスミス，04929 1234 5678，ＸＸ銀行
【００６１】
暗号化の結果は次のようになる。
【００６２】
01 69 f3 2b 10 88 40 ca 18 22 48 90 1d d4 1a c8 ca d9 df fa d3 68 8c 6f 1b bb fb 51 fc fc 1a e7 43 5e 1d d9 86 fd ca 5a d2 1c bf 6d c7 26 9c 56 78 8b bd af 35 63 bf 92
【００６３】
この暗号化の結果は、２つの部分に（すなわち２つのキーとして）分けることができる。
【００６４】
キー１＝01 69 f3 2b 10 88 40 ca 18 22 48 90 1d d4 1a c8 ca d9 df fa d3 68 8c 6f 1b
【００６５】
キー２＝bb fb 51 fc fc 1a e7 43 5e 1d d9 86 fd ca 5a d2 1c bf 6d c7 26 9c 56 78 8b bd af 35 63 bf 92
【００６６】
キー１は銀行カードに格納され、タイムキーとキー２の両方が銀行のデータベース内に格納される。
【００６７】
この簡単な例のための検証方法は、格納されたタイムキーを使って、結合された２つのキーの単純な復号化をし、ユーザ情報を元に戻し、キー作成部を再度稼働して新しいキー及び新しいタイムキーを作成する。この場合、第１キー及び第２キーがロックとして機能している。タイムキーは、時間に関連する任意の事、数値又は文字列でもよく、もしくは作成されるたびに異なる任意のランダムな文字列でもよい。
【００６８】
一実施形態にかかる不正コピーから対象物を保護するための方法２００のフローチャートを図２に示す。対象物は、パスポート、銀行カード、電子トラベルカード、保護された電子文書、スマートテレビボックス、ケーブルテレビボックス、自動車、自動車部品、ソフトウェアライセンス、又はデジタルメディアである。銀行カードは、クレジットカード、ＡＴＭカード、デビットカード、デポジットカード、又は電子決済カードである。電子トラベルカードは、オイスターカード又はオクトプラスカードである。ソフトウェアライセンスは、プログラムライセンス、オートメーションソフトウェアライセンス、オペレーティングシステムライセンス、又は携帯電話アプリである。デジタルメディアは、ゲーム、音楽、映画、ビデオクリップ、テレビ、又はオンラインテレビシリーズである。
【００６９】
第１動作２０２で、対象物に対してキー作成部が提供される。第２動作２０４で、対象物に対して、タイムキーとロックとしての第１キー及び第２キーとが作成される。第１キー及び第２キーは、タイムキーを使用してアカウント情報を暗号化し、暗号化されたアカウント情報を第１キー及び第２キーに分けることによって作成される。アカウント情報は、対象物のユーザのアカウント情報であってもよい。
【００７０】
第３動作２０６で、第１キーは対象物に格納される。第４動作２０８で、タイムキーと第２キーの両方が、対象物とは別のデータベースに格納される。第５動作２１０で、第１キー及び第２キーが読み出される。第６動作２１２で、第１キー及び第２キーが結合される。第７動作２１４で、格納されたタイムキーを使用して、結合された第１キー及び第２キーの復号化の一致によってロックが開かれる。第８動作２１６で、新しいタイムキー、第３キー及び第４キーが作成され、新しいロックを形成する。第９動作２１８で、第１キー及び第２キーは新しいロックの下で無効化される。第１０動作２２０で、対象物内の第１キーが第３キーに置き換えられる。第１２動作２２２で、データベース内のタイムキーと第２キーの両方が、新しいタイムキーと第４キーに置き換えられる。
【００７１】
一実施形態に係る不正コピーから対象物を保護するためのシステム３００の概略を図３に示す。このシステムは、メモリ３０２と、メモリ３０２に結合されたプロセッサ３０４とを備えている。プロセッサ３０４は、対象物に対するキー作成部を提供し、暗号化を使用して第１キー及び第２キーとロックとを作成し、対象物内に第１キーを格納し、第２キーを対象物とは別のデータベースに格納し、第１キー及び第２キーを読み出し、第１キー及び第２キーを使用してロックを開き、第３及び第４キーと新しいロックとを作成し、新しいロックによって第１キー及び第２キーを無効にし、対象物内の第１キーを第３キーに置き換え、データベース内の第２キーを第４キーに置き換えるように構成されている。
【００７２】
不正コピーから対象物を保護するための装置４００の概略を図４に示す。装置４００は、暗号化エンジン４０２を備えている。対象物キー読取部４０４及び発行元キー読取部４０６は、暗号化エンジン４０２に接続されており、対象物キーと発行元キーとを読み取る。暗号化エンジン４０２は、対象物キー及び発行元キーを読み取り、それらを復号化するように構成されている。キー検証部４０８は、暗号化エンジン４０２に接続され、対象物キー及び発行元キーを暗号化又は復号化して、対象物キー及び発行元キーを検証するように構成されている。
【００７３】
キー作成部４１０は、暗号化エンジン４０２に接続され、タイムキーを作成し、ユーザアカウント情報を暗号化して暗号化コードを作成し、それを対象物キーと発行元キーとに分割するように構成されている。キー更新部４１２は、キー作成部４０２に接続され、対象物キーと発行元キーとを新しい対象物キーと新しい発行元キーと新しいタイムキーでそれぞれ置換することによって、対象物キーと発行元キーとを更新し、対象物キーと発行元キーとを破棄するように構成されている。
【００７４】
この実施形態は、（非限定的な例では）データの保存、取得、処理及び／又は出力することができる、及び／又は他のコンピュータとの通信を行うことができる任意のコンピュータなどの、コンピューティングハードウェア（コンピューティング装置）及び／又はソフトウェアにおいて実施することができる。作成された結果は、コンピューティングハードウェアのディスプレイに表示することができる。実施形態を実施するプログラム／ソフトウェアは、コンピュータ読み取り可能な記録媒体を含むコンピュータ読み取り可能な媒体に記録されてもよい。また、実施形態を実施するプログラム／ソフトウェアは、伝送通信媒体を介して送信することもできる。コンピュータ読み取り可能な記録媒体の例としては、磁気記録装置、光ディスク、光磁気ディスク、及び／又は半導体メモリ（例えば、RAM、ROMなど）が挙げられる。磁気記録装置の例としては、ハードディスク装置（HDD)、フレキシブルディスク（FD）、及び磁気テープ（MT）が挙げられる。光ディスクの例としては、DVD（Digital Versatile Disc）、DVD-RAM、CD-ROM（Compact Disc - Read Only Memory）、及びCD-R（Recordable）／RWが挙げられる。通信媒体の一例は、搬送波信号が挙げられる。
【００７５】
また、実施形態の態様によれば、記載された特徴、機能及び／又は動作の任意の組み合わせを提供することができる。
【００７６】
前述したのは、本発明の原理、実施形態、および動作モードを説明したものである。しかしながら、本発明は、上述の特定の実施形態に限定されるものと解釈されてはならず、それらは限定的ではなく例示的であるとみなすべきである。本発明の範囲から逸脱することなく当業者によってそれらの実施形態において変形がなされ得ることは理解されるべきである。
【００７７】
本発明の好ましい実施形態が上記に記載されているが、限定ではなく一例として提示されたことを理解すべきである。従って、本発明の広さ及び範囲は、上述の例示的な実施形態によって限定されるべきではない。
【００７８】
言うまでもなく、本発明の多数の改良及び変形は、上記の教示に照らして可能である。したがって、本発明は、ここに具体的に記載されたものと別な方法で実施されてもよいことを理解されたい。
【図１】
2019536319.tif 000003
【図２】
2019536319.tif 000004
【図３】
2019536319.tif 000005
【図４】
2019536319.tif 000006
【国際調査報告】
2019536319.tif 000007
2019536319.tif 000008
2019536319.tif 000009